(57)【要約】【課題】本発明はゴミ分別用の磁性金属回収装置を開示した。【解決手段】主体を含み、前記主体の上端壁の中には回転筒チャンバが設置され、前記回転筒チャンバの壁の中には強磁石が固定的に設置され、前記回転筒チャンバの中には回転筒が回転できるように設置され、前記回転筒の中には輸送装置が設置され、前記輸送装置は分離された金属を運び出すことができ、前記回転筒の上側にはベルト連動装置が設置され、前記輸送装置が前記ベルト連動装置によって前記回転筒と動力が伝達できるように連結され、前記回転筒チャンバの右側にはゴミ入口が連通しており、本発明は磁石吸着の原理を利用してゴミ破片の中の磁性金属を回収し、手動操作を減少し、金属回収の効率を高め、そのほか、回転筒の構造を用いてゴミの堆積のためにゴミを落とすことを防止し、また回収物に非金属雑物が交じることを避け、金属の回収品質を保証する。【選択図】図１
2020195983.tif 000002
【特許請求の範囲】
【請求項１】
正面視で、主体を含み、前記主体の上端壁の中には回転筒チャンバが設置され、前記回転筒チャンバの壁の中には強磁石が固定的に設置され、前記回転筒チャンバの中には回転筒が回転できるように設置され、前記回転筒の中には輸送装置が設置され、前記輸送装置は分離された金属を運び出すことができ、前記回転筒の上側にはベルト連動装置が設置され、前記輸送装置が前記ベルト連動装置によって前記回転筒と動力が伝達できるように連結され、前記回転筒チャンバの右側にはゴミ入口が連通しており、前記ゴミ入口の右側が外部空間と連通してゴミ破片を入らせることができ、前記回転筒チャンバの左側には残渣出口が連通しており、前記残渣出口の左側が外部空間と連通して選択された非磁性金属ゴミを離れさせることができ、前記残渣出口の上側には金属出口が設置され、前記金属出口の左側が外部空間と連通しており、前記輸送装置の左端が前記金属出口の中に伸びており、前記金属出口は選択された金属ゴミを離れさせることができ、前記回転筒チャンバの下側には動力装置が設置され、前記動力装置が前記回転筒と動力が伝達できるように連結され、前記動力装置の右側には角度調整装置が設置され、前記角度調整装置が前記動力装置と動力が伝達できるように連結され、前記主体の下側には台座が設置され、前記台座の左端壁の中には回転装置が設置され、前記回転装置の右側には斜め溝が形成されており、前記角度調整装置の下端が前記斜め溝の中に伸びており、それによって前記角度調整装置が作動する時に前記主体が傾斜角度を変えられ、装置全体が金属回収作業をする時に前記主体が傾斜状態にあるべきであり、前記動力装置が前記回転筒を回転連動させ、ゴミ屑が前記ゴミ入口から前記回転筒の中に入り、前記回転筒と共に反時計回り方向に回転し、磁性がないゴミ屑は前記回転筒の回転と共に、左方へ移動し、最後に前記残渣出口から離れ、磁性のあるゴミ屑は前記回転筒が回転する過程において、前記強磁石の磁力作用によって前記回転筒と共に前記回転筒の内部の上方に回転し、前記強磁石の吸引範囲から離れた後、吸引力を失い、重力の作用の下で下方へ前記輸送装置に落ち、前記輸送装置の連動によって左方へ運動し、前記金属出口から離れ、ゴミの中の磁性金属を分離する目的を達成し、前記角度調整装置がいつでも前記主体の傾斜角度を調整できることを特徴とするゴミ分別用の磁性金属回収装置。
【請求項２】
前記輸送装置は前記回転筒の内部に位置しているベルト架台を含み、前記ベルト架台の左右両端が前記主体に固定的に設置され、前記ベルト架台がＵ型であり、前記ベルト架台の前側上端が前記回転筒の内壁とスライドできるように当接しており、前記ベルト架台には水平方向に均一に配置された十一個のベルト回転軸が設置され、各前記ベルト回転軸にはいずれもベルトプーリが固定的に設置され、十一個の前記ベルトプーリが前記輸送ベルトによって動力が伝達できるように連結され、前記輸送装置は選択された金属を前記輸送ベルトによって前記金属出口を通して外部空間に輸送することができることを特徴とする請求項１に記載のゴミ分別用の磁性金属回収装置。
【請求項３】
前記回転筒の内壁にはネジ凹溝が形成されており、ゴミ屑が直接に下方へ滑り落ちることを防止でき、前記強磁石の上端が前記輸送ベルトの中心位置と対応し、前記輸送ベルトの上方で金属ゴミを前記回転筒の内壁から分離させることができ、それによって金属が前記輸送ベルトの上端面に落ち、前記ベルト架台はゴミ屑が慣性の作用の下で前記輸送ベルトの所在位置を飛び越えることを防止でき、前記回転筒の右端外側は歯状構造であり、前記動力装置及び前記ベルト連動装置と動力が伝達できるように連結されることができることを特徴とする請求項１に記載のゴミ分別用の磁性金属回収装置。
【請求項４】
前記回転装置は前記台座の左端壁の中に位置している主体回転溝を含み、前記主体回転溝の左側及び上側がいずれも外部空間に連通しており、前記主体回転溝の中には主体回転軸が設置され、前記主体回転軸の前後両端が前記主体回転溝の前後壁の中に回転できるように連結され、前記主体の下端が前記主体回転軸に固定的に設置され、前記主体は前記ベルト連動装置の作用の下で前記主体回転軸を軸にして傾斜角度を変えることができることを特徴とする請求項１に記載のゴミ分別用の磁性金属回収装置。
【請求項５】
前記動力装置は前記回転筒チャンバの下側に位置している動力ギヤチャンバを含み、前記動力ギヤチャンバの右端壁の中には動力モーターが固定的に設置され、前記動力モーターの左端にはモーター軸が回転できるように設置され、前記モーター軸の左端には動力ギヤが固定的に設置され、前記動力ギヤの上端には主軸ギヤが噛み合っており、前記主軸ギヤの中心には主軸が固定的に設置され、前記主軸の左端が外部空間に伸びており、また前記主軸の左端には回転筒ギヤが固定的に設置され、前記回転筒ギヤの上端が前記回転筒の下端と噛み合っており、前記主軸の右端が前記角度調整装置と動力が伝達できるように連結され、前記動力装置は装置全体に動力を提供できることを特徴とする請求項１に記載のゴミ分別用の磁性金属回収装置。
【請求項６】
前記角度調整装置は前記動力ギヤチャンバの右側に位置している切換ギヤチャンバを含み、前記主軸が前記切換ギヤチャンバの中に伸びており、前記主軸の右端には昇降ベベルギヤが固定的に設置され、前記昇降ベベルギヤの下端には両面ベベルギヤが噛み合っており、前記両面ベベルギヤの中心には昇降立軸が固定的に設置され、前記昇降立軸の上端が前記切換ギヤチャンバの上端壁の中に回転できるように連結され、前記両面ベベルギヤの下側には切換軸が設置され、前記切換軸の左端が切換軸スリーブパイプによって前記切換ギヤチャンバの左端壁の中に回転できるように連結され、前記切換軸には左ベベルギヤと、右ベベルギヤとが固定的に設置され、前記切換ギヤチャンバの右側には支持スライドチャンバが設置され、前記支持スライドチャンバの中には親ネジが設置され、前記親ネジの両端が前記支持スライドチャンバの左右壁の中に回転できるように連結され、前記親ネジが前記切換軸とスプラインによって連結され、前記支持スライドチャンバの中には支持スライドブロックがスライドできるように設置され、前記支持スライドブロックが前記親ネジとネジ山によって連結され、前記支持スライドブロックの下端が前記斜め溝の下端壁に当接しており、前記支持スライドチャンバの右側には切換スライドチャンバが設置され、前記切換スライドチャンバの右端が外部空間に連通しており、前記切換スライドチャンバの中には切換スライドブロックがスライドできるように設置され、前記切換スライドブロックの右端が外部空間に伸びており、前記切換軸の右端が前記切換スライドブロックの左端壁の中に回転できるように連結され、前記切換スライドブロックの上端面の中にはロックスライドチャンバが設置され、前記ロックスライドチャンバの中にはロックスライドブロックがスライドできるように設置され、前記ロックスライドブロックの右端壁の中には凹溝が設置され、前記ロックスライドブロックの下端にはロックばねが固定的に設置され、前記ロックスライドチャンバの右端には押しスライドチャンバが連通しており、前記押しスライドチャンバの右端が外部空間に連通しており、前記押しスライドチャンバの中には押しスライドブロックがスライドできるように設置され、前記押しスライドブロックの左端は斜面構造であり、前記ロックスライドブロックの右側の前記凹溝を結合でき、前記押しスライドブロックの右端が外部空間に伸びており、前記切換スライドチャンバの上端壁の中には三つの均一に排列しているロック凹溝が設置され、前記ロックスライドブロックの上端が前記ロック凹溝に伸びることができ、前記角度調整装置は前記支持スライドブロックが左右に移動することを制御でき、更に前記主体の傾斜角度を制御することを特徴とする請求項１に記載のゴミ分別用の磁性金属回収装置。
【請求項７】
前記ベルト連動装置は前記回転筒チャンバの上端壁の中に位置している連動動力チャンバを含み、前記連動動力チャンバの中には連動動力軸が設置され、前記連動動力軸の右端が前記連動動力チャンバの右端壁の中に回転できるように連結され、前記連動動力軸には連動動力ギヤが固定的に設置され、前記連動動力ギヤの下端が前記回転筒の左端と噛み合っており、前記連動動力軸の左側には連動ギヤチャンバが設置され、前記連動動力軸の左端が前記連動ギヤチャンバに伸びており、また前記連動動力軸の左端には連動第一ベベルギヤが固定的に設置され、前記連動第一ベベルギヤの後端には連動第二ベベルギヤが噛み合っており、前記連動第二ベベルギヤの中心には連動横軸が固定的に設置され、前記連動ギヤチャンバの後側似は連動ベルトチャンバが設置され、前記連動横軸が前記連動ベルトチャンバに伸びており、また前記連動横軸の後端が前記連動ベルトチャンバの後端壁の中に回転できるように連結され、前記連動横軸のうち前記連動ベルトチャンバの中に位置している部分には連動主輪が固定的に設置され、前記連動主輪の下側には連動副輪が設置され、前記連動副輪の中心が一番左端の前記ベルト回転軸の後端に固定的に設置され、前記連動主輪が前記連動副輪と連動ベルトによって動力が伝達できるように連結され、前記ベルト連動装置は前記回転筒と前記輸送ベルトとを動力が伝達できるように連結できることを特徴とする請求項１に記載のゴミ分別用の磁性金属回収装置。
【請求項８】
前記ロックスライドブロックの上端が中間の前記ロック凹溝の中に位置している時、前記両面ベベルギヤが前記左ベベルギヤと前記右ベベルギヤといずれも噛み合わなく、前記ロックスライドブロックの上端が左側の前記ロック凹溝の中に位置している時、前記右ベベルギヤが前記両面ベベルギヤと噛み合っており、前記親ネジが前記動力モーターの連動によって時計回り方向に回転し、前記支持スライドブロックが左方へ移動し、それによって前記主体の傾斜角度が大きくなり、前記ロックスライドブロックの上端が右側の前記ロック凹溝の中に位置している時、前記左ベベルギヤが前記両面ベベルギヤと噛み合っており、前記親ネジが前記動力モーターの連動によって反転し、前記支持スライドブロックが右方へ移動し、それによって前記主体の傾斜角度が小さくなることを特徴とする請求項１に記載のゴミ分別用の磁性金属回収装置。
【発明の詳細な説明】
【技術分野】
【０００１】
本発明はゴミ分別分野に関わり、具体的にはゴミ分別用の磁性金属回収装置である。
【背景技術】
【０００２】
伝統的なゴミの金属回収は人で磁石を選択する又は磁石をゴミ輸送通路の上方に置くことに依存し、磁性金属を吸引し、効率が低く、またゴミが堆積しやすく、落としやすく、又はゴミを分別する時にほかの雑物が入れることがあり、その後に再び選択する必要があり、時間と人力とを費やし、また伝統的な分離装置の高さを調節できなく、それによって装置全体の適用範囲が小さい。
【先行技術文献】
【特許文献】
【０００３】
【特許文献１】中国特許出願公開第１０８１２６８３０号明細書
【発明の概要】
【発明が解決しようとする課題】
【０００４】
本発明はゴミ分別用の磁性金属回収装置を提供し、既存技術にある上記の欠点を解消することを目的とする。
【課題を解決するための手段】
【０００５】
本発明の実施例のゴミ分別用の磁性金属回収装置は、主体を含み、前記主体の上端壁の中には回転筒チャンバが設置され、前記回転筒チャンバの壁の中には強磁石が固定的に設置され、前記回転筒チャンバの中には回転筒が回転できるように設置され、前記回転筒の中には輸送装置が設置され、前記輸送装置は分離された金属を運び出すことができ、前記回転筒の上側にはベルト連動装置が設置され、前記輸送装置が前記ベルト連動装置によって前記回転筒と動力が伝達できるように連結され、前記回転筒チャンバの右側にはゴミ入口が連通しており、前記ゴミ入口の右側が外部空間と連通してゴミ破片を入らせることができ、前記回転筒チャンバの左側には残渣出口が連通しており、前記残渣出口の左側が外部空間と連通して選択された非磁性金属ゴミを離れさせることができ、前記残渣出口の上側には金属出口が設置され、前記金属出口の左側が外部空間と連通しており、前記輸送装置の左端が前記金属出口の中に伸びており、前記金属出口は選択された金属ゴミを離れさせることができ、前記回転筒チャンバの下側には動力装置が設置され、前記動力装置が前記回転筒と動力が伝達できるように連結され、前記動力装置の右側には角度調整装置が設置され、前記角度調整装置が前記動力装置と動力が伝達できるように連結され、前記主体の下側には台座が設置され、前記台座の左端壁の中には回転装置が設置され、前記回転装置の右側には斜め溝が形成されており、前記角度調整装置の下端が前記斜め溝の中に伸びており、それによって前記角度調整装置が作動する時に前記主体が傾斜角度を変えられ、装置全体が金属回収作業をする時に前記主体が傾斜状態にあるべきであり、前記動力装置が前記回転筒を回転連動させ、ゴミ屑が前記ゴミ入口から前記回転筒の中に入り、前記回転筒と共に反時計回り方向に回転し、磁性がないゴミ屑は前記回転筒の回転と共に、左方へ移動し、最後に前記残渣出口から離れ、磁性のあるゴミ屑は前記回転筒が回転する過程において、前記強磁石の磁力作用によって前記回転筒と共に前記回転筒の内部の上方に回転し、前記強磁石の吸引範囲から離れた後、吸引力を失い、重力の作用の下で下方へ前記輸送装置に落ち、前記輸送装置の連動によって左方へ運動し、前記金属出口から離れ、ゴミの中の磁性金属を分離する目的を達成し、前記角度調整装置がいつでも前記主体の傾斜角度を調整できる。
【０００６】
さらなる技術プランには、前記輸送装置は前記回転筒の内部に位置しているベルト架台を含み、前記ベルト架台の左右両端が前記主体に固定的に設置され、前記ベルト架台がＵ型であり、前記ベルト架台の前側上端が前記回転筒の内壁とスライドできるように当接しており、前記ベルト架台には水平方向に均一に配置された十一個のベルト回転軸が設置され、各前記ベルト回転軸にはいずれもベルトプーリが固定的に設置され、十一個の前記ベルトプーリが前記輸送ベルトによって動力が伝達できるように連結され、前記輸送装置は選択された金属を前記輸送ベルトによって前記金属出口を通して外部空間に輸送することができる。
【０００７】
さらなる技術プランには、前記回転筒の内壁にはネジ凹溝が形成されており、ゴミ屑が直接に下方へ滑り落ちることを防止でき、前記強磁石の上端が前記輸送ベルトの中心位置と対応し、前記輸送ベルトの上方で金属ゴミを前記回転筒の内壁から分離させることができ、それによって金属が前記輸送ベルトの上端面に落ち、前記ベルト架台はゴミ屑が慣性の作用の下で前記輸送ベルトの所在位置を飛び越えることを防止でき、前記回転筒の右端外側は歯状構造であり、前記動力装置及び前記ベルト連動装置と動力が伝達できるように連結されることができる。
【０００８】
さらなる技術プランには、前記回転装置は前記台座の左端壁の中に位置している主体回転溝を含み、前記主体回転溝の左側及び上側がいずれも外部空間に連通しており、前記主体回転溝の中には主体回転軸が設置され、前記主体回転軸の前後両端が前記主体回転溝の前後壁の中に回転できるように連結され、前記主体の下端が前記主体回転軸に固定的に設置され、前記主体は前記ベルト連動装置の作用の下で前記主体回転軸を軸にして傾斜角度を変えることができる。
【０００９】
さらなる技術プランには、前記動力装置は前記回転筒チャンバの下側に位置している動力ギヤチャンバを含み、前記動力ギヤチャンバの右端壁の中には動力モーターが固定的に設置され、前記動力モーターの左端にはモーター軸が回転できるように設置され、前記モーター軸の左端には動力ギヤが固定的に設置され、前記動力ギヤの上端には主軸ギヤが噛み合っており、前記主軸ギヤの中心には主軸が固定的に設置され、前記主軸の左端が外部空間に伸びており、また前記主軸の左端には回転筒ギヤが固定的に設置され、前記回転筒ギヤの上端が前記回転筒の下端と噛み合っており、前記主軸の右端が前記角度調整装置と動力が伝達できるように連結され、前記動力装置は装置全体に動力を提供できる。
【００１０】
さらなる技術プランには、前記角度調整装置は前記動力ギヤチャンバの右側に位置している切換ギヤチャンバを含み、前記主軸が前記切換ギヤチャンバの中に伸びており、前記主軸の右端には昇降ベベルギヤが固定的に設置され、前記昇降ベベルギヤの下端には両面ベベルギヤが噛み合っており、前記両面ベベルギヤの中心には昇降立軸が固定的に設置され、前記昇降立軸の上端が前記切換ギヤチャンバの上端壁の中に回転できるように連結され、前記両面ベベルギヤの下側には切換軸が設置され、前記切換軸の左端が切換軸スリーブパイプによって前記切換ギヤチャンバの左端壁の中に回転できるように連結され、前記切換軸には左ベベルギヤと、右ベベルギヤとが固定的に設置され、前記切換ギヤチャンバの右側には支持スライドチャンバが設置され、前記支持スライドチャンバの中には親ネジが設置され、前記親ネジの両端が前記支持スライドチャンバの左右壁の中に回転できるように連結され、前記親ネジが前記切換軸とスプラインによって連結され、前記支持スライドチャンバの中には支持スライドブロックがスライドできるように設置され、前記支持スライドブロックが前記親ネジとネジ山によって連結され、前記支持スライドブロックの下端が前記斜め溝の下端壁に当接しており、前記支持スライドチャンバの右側には切換スライドチャンバが設置され、前記切換スライドチャンバの右端が外部空間に連通しており、前記切換スライドチャンバの中には切換スライドブロックがスライドできるように設置され、前記切換スライドブロックの右端が外部空間に伸びており、前記切換軸の右端が前記切換スライドブロックの左端壁の中に回転できるように連結され、前記切換スライドブロックの上端面の中にはロックスライドチャンバが設置され、前記ロックスライドチャンバの中にはロックスライドブロックがスライドできるように設置され、前記ロックスライドブロックの右端壁の中には凹溝が設置され、前記ロックスライドブロックの下端にはロックばねが固定的に設置され、前記ロックスライドチャンバの右端には押しスライドチャンバが連通しており、前記押しスライドチャンバの右端が外部空間に連通しており、前記押しスライドチャンバの中には押しスライドブロックがスライドできるように設置され、前記押しスライドブロックの左端は斜面構造であり、前記ロックスライドブロックの右側の前記凹溝を結合でき、前記押しスライドブロックの右端が外部空間に伸びており、前記切換スライドチャンバの上端壁の中には三つの均一に排列しているロック凹溝が設置され、前記ロックスライドブロックの上端が前記ロック凹溝に伸びることができ、前記角度調整装置は前記支持スライドブロックが左右に移動することを制御でき、更に前記主体の傾斜角度を制御する。
【００１１】
さらなる技術プランには、前記ベルト連動装置は前記回転筒チャンバの上端壁の中に位置している連動動力チャンバを含み、前記連動動力チャンバの中には連動動力軸が設置され、前記連動動力軸の右端が前記連動動力チャンバの右端壁の中に回転できるように連結され、前記連動動力軸には連動動力ギヤが固定的に設置され、前記連動動力ギヤの下端が前記回転筒の左端と噛み合っており、前記連動動力軸の左側には連動ギヤチャンバが設置され、前記連動動力軸の左端が前記連動ギヤチャンバに伸びており、また前記連動動力軸の左端には連動第一ベベルギヤが固定的に設置され、前記連動第一ベベルギヤの後端には連動第二ベベルギヤが噛み合っており、前記連動第二ベベルギヤの中心には連動横軸が固定的に設置され、前記連動ギヤチャンバの後側似は連動ベルトチャンバが設置され、前記連動横軸が前記連動ベルトチャンバに伸びており、また前記連動横軸の後端が前記連動ベルトチャンバの後端壁の中に回転できるように連結され、前記連動横軸のうち前記連動ベルトチャンバの中に位置している部分には連動主輪が固定的に設置され、前記連動主輪の下側には連動副輪が設置され、前記連動副輪の中心が一番左端の前記ベルト回転軸の後端に固定的に設置され、前記連動主輪が前記連動副輪と連動ベルトによって動力が伝達できるように連結され、前記ベルト連動装置は前記回転筒と前記輸送ベルトとを動力が伝達できるように連結できる。
【００１２】
さらなる技術プランには、前記ロックスライドブロックの上端が中間の前記ロック凹溝の中に位置している時、前記両面ベベルギヤが前記左ベベルギヤと前記右ベベルギヤといずれも噛み合わなく、前記ロックスライドブロックの上端が左側の前記ロック凹溝の中に位置している時、前記右ベベルギヤが前記両面ベベルギヤと噛み合っており、前記親ネジが前記動力モーターの連動によって時計回り方向に回転し、前記支持スライドブロックが左方へ移動し、それによって前記主体の傾斜角度が大きくなり、前記ロックスライドブロックの上端が右側の前記ロック凹溝の中に位置している時、前記左ベベルギヤが前記両面ベベルギヤと噛み合っており、前記親ネジが前記動力モーターの連動によって反転し、前記支持スライドブロックが右方へ移動し、それによって前記主体の傾斜角度が小さくなる。
【発明の効果】
【００１３】
本発明の有益な効果は：本発明は磁石吸着の原理を利用してゴミ破片の中の磁性金属を回収し、手動操作を減少し、金属回収の効率を高め、そのほか、回転筒の構造を用いてゴミの堆積のためにゴミを落とすことを防止し、また回収物に非金属雑物が交じることを避け、金属の回収品質を保証し、同時に角度調節可能な設計を用い、異なる作動環境に対応することに便利を与え、装置の互換性を高める。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のゴミ分別用の磁性金属回収装置の全体構造略図
【図２】図２は図１の「Ａ―Ａ」方向の構造略図
【図３】図３は図１の「Ｂ―Ｂ」方向の構造略図
【図４】図４は図１の中の「Ｃ」の拡大構造略図
【図５】図５は図１の中の「Ｄ」の拡大構造略図
【図６】図６は図１の中の「Ｅ」の拡大構造略図
【発明を実施するための形態】
【００１６】
図１〜６を参照し、本発明の実施例のゴミ分別用の磁性金属回収装置は、主体１１を含み、前記主体１１の上端壁の中には回転筒チャンバ２１が設置され、前記回転筒チャンバ２１の壁の中には強磁石２３が固定的に設置され、前記回転筒チャンバ２１の中には回転筒２２が回転できるように設置され、前記回転筒２２の中には輸送装置４００が設置され、前記輸送装置４００は分離された金属を運び出すことができ、前記回転筒２２の上側にはベルト連動装置３００が設置され、前記輸送装置４００が前記ベルト連動装置３００によって前記回転筒２２と動力が伝達できるように連結され、前記回転筒チャンバ２１の右側にはゴミ入口７２が連通しており、前記ゴミ入口７２の右側が外部空間と連通してゴミ破片を入らせることができ、前記回転筒チャンバ２１の左側には残渣出口７４が連通しており、前記残渣出口７４の左側が外部空間と連通して選択された非磁性金属ゴミを離れさせることができ、前記残渣出口７４の上側には金属出口７３が設置され、前記金属出口７３の左側が外部空間と連通しており、前記輸送装置４００の左端が前記金属出口７３の中に伸びており、前記金属出口７３は選択された金属ゴミを離れさせることができ、前記回転筒チャンバ２１の下側には動力装置１００が設置され、前記動力装置１００が前記回転筒２２と動力が伝達できるように連結され、前記動力装置１００の右側には角度調整装置２００が設置され、前記角度調整装置２００が前記動力装置１００と動力が伝達できるように連結され、前記主体１１の下側には台座１２が設置され、前記台座１２の左端壁の中には回転装置５００が設置され、前記回転装置５００の右側には斜め溝６５が形成されており、前記角度調整装置２００の下端が前記斜め溝６５の中に伸びており、それによって前記角度調整装置２００が作動する時に前記主体１１が傾斜角度を変えられ、装置全体が金属回収作業をする時に前記主体１１が傾斜状態にあるべきであり、前記動力装置１００が前記回転筒２２を回転連動させ、ゴミ屑が前記ゴミ入口７２から前記回転筒２２の中に入り、前記回転筒２２と共に反時計回り方向に回転し、磁性がないゴミ屑は前記回転筒２２の回転と共に、左方へ移動し、最後に前記残渣出口７４から離れ、磁性のあるゴミ屑は前記回転筒２２が回転する過程において、前記強磁石２３の磁力作用によって前記回転筒２２と共に前記回転筒２２の内部の上方に回転し、前記強磁石２３の吸引範囲から離れた後、吸引力を失い、重力の作用の下で下方へ前記輸送装置４００に落ち、前記輸送装置４００の連動によって左方へ運動し、前記金属出口７３から離れ、ゴミの中の磁性金属を分離する目的を達成し、前記角度調整装置２００がいつでも前記主体１１の傾斜角度を調整できる。
【００１７】
有益なように、前記輸送装置４００は前記回転筒２２の内部に位置しているベルト架台１４を含み、前記ベルト架台１４の左右両端が前記主体１１に固定的に設置され、前記ベルト架台１４がＵ型であり、前記ベルト架台１４の前側上端が前記回転筒２２の内壁とスライドできるように当接しており、前記ベルト架台１４には水平方向に均一に配置された十一個のベルト回転軸５８が設置され、各前記ベルト回転軸５８にはいずれもベルトプーリ４４が固定的に設置され、十一個の前記ベルトプーリ４４が前記輸送ベルト２４によって動力が伝達できるように連結され、前記輸送装置４００は選択された金属を前記輸送ベルト２４によって前記金属出口７３を通して外部空間に輸送することができる。
【００１８】
有益なように、前記回転装置５００は前記台座１２の左端壁の中に位置している主体回転溝７６を含み、前記主体回転溝７６の左側及び上側がいずれも外部空間に連通しており、前記主体回転溝７６の中には主体回転軸５９が設置され、前記主体回転軸５９の前後両端が前記主体回転溝７６の前後壁の中に回転できるように連結され、前記主体１１の下端が前記主体回転軸５９に固定的に設置され、前記主体１１は前記ベルト連動装置３００の作用の下で前記主体回転軸５９を軸にして傾斜角度を変えることができる。
【００１９】
有益なように、前記回転筒２２の内壁にはネジ凹溝が形成されており、ゴミ屑が直接に下方へ滑り落ちることを防止でき、前記強磁石２３の上端が前記輸送ベルト２４の中心位置と対応し、前記輸送ベルト２４の上方で金属ゴミを前記回転筒２２の内壁から分離させることができ、それによって金属が前記輸送ベルト２４の上端面に落ち、前記ベルト架台１４はゴミ屑が慣性の作用の下で前記輸送ベルト２４の所在位置を飛び越えることを防止でき、前記回転筒２２の右端外側は歯状構造であり、前記動力装置１００及び前記ベルト連動装置３００と動力が伝達できるように連結されることができる。
【００２０】
有益なように、前記動力装置１００は前記回転筒チャンバ２１の下側に位置している動力ギヤチャンバ６１を含み、前記動力ギヤチャンバ６１の右端壁の中には動力モーター２５が固定的に設置され、前記動力モーター２５の左端にはモーター軸５１が回転できるように設置され、前記モーター軸５１の左端には動力ギヤ３１が固定的に設置され、前記動力ギヤ３１の上端には主軸ギヤ３２が噛み合っており、前記主軸ギヤ３２の中心には主軸５２が固定的に設置され、前記主軸５２の左端が外部空間に伸びており、また前記主軸５２の左端には回転筒ギヤ３３が固定的に設置され、前記回転筒ギヤ３３の上端が前記回転筒２２の下端と噛み合っており、前記主軸５２の右端が前記角度調整装置２００と動力が伝達できるように連結され、前記動力装置１００は装置全体に動力を提供できる。
【００２１】
有益なように、前記角度調整装置２００は前記動力ギヤチャンバ６１の右側に位置している切換ギヤチャンバ６２を含み、前記主軸５２が前記切換ギヤチャンバ６２の中に伸びており、前記主軸５２の右端には昇降ベベルギヤ３４が固定的に設置され、前記昇降ベベルギヤ３４の下端には両面ベベルギヤ３５が噛み合っており、前記両面ベベルギヤ３５の中心には昇降立軸５３が固定的に設置され、前記昇降立軸５３の上端が前記切換ギヤチャンバ６２の上端壁の中に回転できるように連結され、前記両面ベベルギヤ３５の下側には切換軸５４が設置され、前記切換軸５４の左端が切換軸スリーブパイプ７７によって前記切換ギヤチャンバ６２の左端壁の中に回転できるように連結され、前記切換軸５４には左ベベルギヤ３６と、右ベベルギヤ３７とが固定的に設置され、前記切換ギヤチャンバ６２の右側には支持スライドチャンバ６３が設置され、前記支持スライドチャンバ６３の中には親ネジ５５が設置され、前記親ネジ５５の両端が前記支持スライドチャンバ６３の左右壁の中に回転できるように連結され、前記親ネジ５５が前記切換軸５４とスプラインによって連結され、前記支持スライドチャンバ６３の中には支持スライドブロック８１がスライドできるように設置され、前記支持スライドブロック８１が前記親ネジ５５とネジ山によって連結され、前記支持スライドブロック８１の下端が前記斜め溝６５の下端壁に当接しており、前記支持スライドチャンバ６３の右側には切換スライドチャンバ６４が設置され、前記切換スライドチャンバ６４の右端が外部空間に連通しており、前記切換スライドチャンバ６４の中には切換スライドブロック８４がスライドできるように設置され、前記切換スライドブロック８４の右端が外部空間に伸びており、前記切換軸５４の右端が前記切換スライドブロック８４の左端壁の中に回転できるように連結され、前記切換スライドブロック８４の上端面の中にはロックスライドチャンバ６６が設置され、前記ロックスライドチャンバ６６の中にはロックスライドブロック８２がスライドできるように設置され、前記ロックスライドブロック８２の右端壁の中には凹溝７８が設置され、前記ロックスライドブロック８２の下端にはロックばね１３が固定的に設置され、前記ロックスライドチャンバ６６の右端には押しスライドチャンバ６７が連通しており、前記押しスライドチャンバ６７の右端が外部空間に連通しており、前記押しスライドチャンバ６７の中には押しスライドブロック８３がスライドできるように設置され、前記押しスライドブロック８３の左端は斜面構造であり、前記ロックスライドブロック８２の右側の前記凹溝７８を結合でき、前記押しスライドブロック８３の右端が外部空間に伸びており、前記切換スライドチャンバ６４の上端壁の中には三つの均一に排列しているロック凹溝７５が設置され、前記ロックスライドブロック８２の上端が前記ロック凹溝７５に伸びることができ、前記角度調整装置２００は前記支持スライドブロック８１が左右に移動することを制御でき、更に前記主体１１の傾斜角度を制御する。
【００２２】
有益なように、前記ベルト連動装置３００は前記回転筒チャンバ２１の上端壁の中に位置している連動動力チャンバ６８を含み、前記連動動力チャンバ６８の中には連動動力軸５６が設置され、前記連動動力軸５６の右端が前記連動動力チャンバ６８の右端壁の中に回転できるように連結され、前記連動動力軸５６には連動動力ギヤ３８が固定的に設置され、前記連動動力ギヤ３８の下端が前記回転筒２２の左端と噛み合っており、前記連動動力軸５６の左側には連動ギヤチャンバ６９が設置され、前記連動動力軸５６の左端が前記連動ギヤチャンバ６９に伸びており、また前記連動動力軸５６の左端には連動第一ベベルギヤ３９が固定的に設置され、前記連動第一ベベルギヤ３９の後端には連動第二ベベルギヤが噛み合っており、前記連動第二ベベルギヤ４１の中心には連動横軸５７が固定的に設置され、前記連動ギヤチャンバ６９の後側似は連動ベルトチャンバ７１が設置され、前記連動横軸５７が前記連動ベルトチャンバ７１に伸びており、また前記連動横軸５７の後端が前記連動ベルトチャンバ７１の後端壁の中に回転できるように連結され、前記連動横軸５７のうち前記連動ベルトチャンバ７１の中に位置している部分には連動主輪４２が固定的に設置され、前記連動主輪４２の下側には連動副輪４３が設置され、前記連動副輪４３の中心が一番左端の前記ベルト回転軸５８の後端に固定的に設置され、前記連動主輪４２が前記連動副輪４３と連動ベルト２６によって動力が伝達できるように連結され、前記ベルト連動装置３００は前記回転筒２２と前記輸送ベルト２４とを動力が伝達できるように連結できる。
【００２３】
有益なように、前記ロックスライドブロック８２の上端が中間の前記ロック凹溝７５の中に位置している時、前記両面ベベルギヤ３５が前記左ベベルギヤ３６と前記右ベベルギヤ３７といずれも噛み合わなく、前記ロックスライドブロック８２の上端が左側の前記ロック凹溝７５の中に位置している時、前記右ベベルギヤ３７が前記両面ベベルギヤ３５と噛み合っており、前記親ネジ５５が前記動力モーター２５の連動によって時計回り方向に回転し、前記支持スライドブロック８１が左方へ移動し、それによって前記主体１１の傾斜角度が大きくなり、前記ロックスライドブロック８２の上端が右側の前記ロック凹溝７５の中に位置している時、前記左ベベルギヤ３６が前記両面ベベルギヤ３５と噛み合っており、前記親ネジ５５が前記動力モーター２５の連動によって反転し、前記支持スライドブロック８１が右方へ移動し、それによって前記主体１１の傾斜角度が小さくなる。
【００２４】
初期状態の時、ロックスライドブロック８２の上端が中間のロック凹溝７５の中に位置しており、支持スライドブロック８１の右端が支持スライドチャンバ６３の右端壁に当接しており、主体１１の傾斜角度は零である。
【００２５】
始動する時、動力モーター２５が作動し始め、両面ベベルギヤ３５と回転筒２２とを回転連動させ、押しスライドブロック８３を左方へ押し、ロックスライドブロック８２の上端を連動させて中間のロック凹溝７５から離れさせ、切換スライドブロック８４を左方へ推し動かし、それによってロックスライドブロック８２の上端が左側のロック凹溝７５の中に入り、この時、右ベベルギヤ３７が両面ベベルギヤ３５と噛み合っており、支持スライドブロック８１が左方へ移動し、それによって主体１１の右端が上方へ主体回転軸５９を軸にして傾斜し、指定位置に到達した後に再び推しスライドブロック８３を左方へ押した後に切換スライドブロック８４を右方へ引き動かし、それによってロックスライドブロック８２の上端が中間のロック凹溝７５の中に戻り、右ベベルギヤ３７が両面ベベルギヤ３５と分離し、支持スライドブロック８１の動作が停止し、主体１１の傾斜角度が変わることはしなく、この時にゴミ入口７２によって回転筒２２の中にゴミ破片を入れることができ、強磁石２３の作用の下で、磁性金属破片が回転筒２２の内壁に吸着でき、回転筒２２の回転と共に、回転筒２２の上側の対応した位置に到達した時、強磁石２３の磁性範囲から離れ、破片が重力の作用の下で下方へ輸送ベルト２４の上端面に落ち、輸送ベルト２４が回転筒２２の連動によって金属破片を金属出口７３から外へ輸送し、磁性がない金属は回転筒２２の中で回転筒２２の回転と共に左側へ移動し、最後に残渣出口７４から回転筒２２を離れ、ゴミ金属の分離を完成する。
【００２６】
使用し終わった時、押しスライドブロック８３を左方へ押して切換スライドブロック８４を右方へ引き動かし、それによってロックスライドブロック８２の上端が右側のロック凹溝７５の中に入り、左ベベルギヤ３６が両面ベベルギヤ３５と噛み合っており、支持スライドブロック８１が右方へ移動し、支持スライドブロック８１の右端が支持スライドチャンバ６３の右端壁と当接する時に押しスライドブロック８３を左方へ押して切換スライドブロック８４を左方へ押し動かし、それによってロックスライドブロック８２の上端が中間のロック凹溝７５の中に戻り、左ベベルギヤ３６が両面ベベルギヤ３５と分離し、支持スライドブロック８１の移動が停止し、主体１１は傾斜角度が零である位置に戻り、動力モーター２５の動作が停止し、装置全体が初期状態に戻る。
【００２７】
本発明の有益な効果は：本発明は磁石吸着の原理を利用してゴミ破片の中の磁性金属を回収し、手動操作を減少し、金属回収の効率を高め、そのほか、回転筒の構造を用いてゴミの堆積のためにゴミを落とすことを防止し、また回収物に非金属雑物が交じることを避け、金属の回収品質を保証し、同時に角度調節可能な設計を用い、異なる作動環境に対応することに便利を与え、装置の互換性を高める。
【００２８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020195983.tif 000003
【図２】
2020195983.tif 000004
【図３】
2020195983.tif 000005
【図４】
2020195983.tif 000006
【図５】
2020195983.tif 000007
【図６】
2020195983.tif 000008
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の上端壁の中には回転筒チャンバが設置され、前記回転筒チャンバの壁の中には強磁石が固定的に設置され、前記回転筒チャンバの中には回転筒が回転できるように設置され、前記回転筒の中には輸送装置が設置され、前記輸送装置は分離された金属を運び出すことができ、前記回転筒の上側にはベルト連動装置が設置され、前記輸送装置が前記ベルト連動装置によって前記回転筒と動力が伝達できるように連結され、前記回転筒チャンバの右側にはゴミ入口が連通しており、前記ゴミ入口の右側が外部空間と連通してゴミ破片を入らせることができ、前記回転筒チャンバの左側には残渣出口が連通しており、前記残渣出口の左側が外部空間と連通して選択された非磁性金属ゴミを離れさせることができ、前記残渣出口の上側には金属出口が設置され、前記金属出口の左側が外部空間と連通しており、前記輸送装置の左端が前記金属出口の中に伸びており、前記金属出口は選択された金属ゴミを離れさせることができ、前記回転筒チャンバの下側には動力装置が設置され、前記動力装置が前記回転筒と動力が伝達できるように連結され、前記動力装置の右側には角度調整装置が設置され、前記角度調整装置が前記動力装置と動力が伝達できるように連結され、前記主体の下側には台座が設置され、前記台座の左端壁の中には回転装置が設置され、前記回転装置の右側には斜め溝が形成されており、前記角度調整装置の下端が前記斜め溝の中に伸びており、それによって前記角度調整装置が作動する時に前記主体が傾斜角度を変えられ、装置全体が金属回収作業をする時に前記主体が傾斜状態にあるべきであり、前記動力装置が前記回転筒を回転連動させ、ゴミ屑が前記ゴミ入口から前記回転筒の中に入り、前記回転筒と共に反時計回り方向に回転し、磁性がないゴミ屑は前記回転筒の回転と共に、左方へ移動し、最後に前記残渣出口から離れ、磁性のあるゴミ屑は前記回転筒が回転する過程において、前記強磁石の磁力作用によって前記回転筒と共に前記回転筒の内部の上方に回転し、前記強磁石の吸引範囲から離れた後、吸引力を失い、重力の作用の下で下方へ前記輸送装置に落ち、前記輸送装置の連動によって左方へ運動し、前記金属出口から離れ、ゴミの中の磁性金属を分離する目的を達成し、前記角度調整装置がいつでも前記主体の傾斜角度を調整できることを特徴とするゴミ分別用の磁性金属回収装置。
【請求項２】
前記輸送装置は前記回転筒の内部に位置しているベルト架台を含み、前記ベルト架台の左右両端が前記主体に固定的に設置され、前記ベルト架台がＵ型であり、前記ベルト架台の前側上端が前記回転筒の内壁とスライドできるように当接しており、前記ベルト架台には水平方向に均一に配置された十一個のベルト回転軸が設置され、各前記ベルト回転軸にはいずれもベルトプーリが固定的に設置され、十一個の前記ベルトプーリが輸送ベルトによって動力が伝達できるように連結され、前記輸送装置は選択された金属を前記輸送ベルトによって前記金属出口を通して外部空間に輸送することができることを特徴とする請求項１に記載のゴミ分別用の磁性金属回収装置。
【請求項３】
前記回転筒の内壁にはネジ凹溝が形成されており、ゴミ屑が直接に下方へ滑り落ちることを防止でき、前記強磁石の上端が前記輸送ベルトの中心位置と対応し、前記輸送ベルトの上方で金属ゴミを前記回転筒の内壁から分離させることができ、それによって金属が前記輸送ベルトの上端面に落ち、前記ベルト架台はゴミ屑が慣性の作用の下で前記輸送ベルトの所在位置を飛び越えることを防止でき、前記回転筒の右端外側は歯状構造であり、前記動力装置及び前記ベルト連動装置と動力が伝達できるように連結されることができることを特徴とする請求項２に記載のゴミ分別用の磁性金属回収装置。
【請求項４】
前記回転装置は前記台座の左端壁の中に位置している主体回転溝を含み、前記主体回転溝の左側及び上側がいずれも外部空間に連通しており、前記主体回転溝の中には主体回転軸が設置され、前記主体回転軸の前後両端が前記主体回転溝の前後壁の中に回転できるように連結され、前記主体の下端が前記主体回転軸に固定的に設置され、前記主体は前記ベルト連動装置の作用の下で前記主体回転軸を軸にして傾斜角度を変えることができることを特徴とする請求項１に記載のゴミ分別用の磁性金属回収装置。
【請求項５】
前記動力装置は前記回転筒チャンバの下側に位置している動力ギヤチャンバを含み、前記動力ギヤチャンバの右端壁の中には動力モーターが固定的に設置され、前記動力モーターの左端にはモーター軸が回転できるように設置され、前記モーター軸の左端には動力ギヤが固定的に設置され、前記動力ギヤの上端には主軸ギヤが噛み合っており、前記主軸ギヤの中心には主軸が固定的に設置され、前記主軸の左端が外部空間に伸びており、また前記主軸の左端には回転筒ギヤが固定的に設置され、前記回転筒ギヤの上端が前記回転筒の下端と噛み合っており、前記主軸の右端が前記角度調整装置と動力が伝達できるように連結され、前記動力装置は装置全体に動力を提供できることを特徴とする請求項１に記載のゴミ分別用の磁性金属回収装置。
【請求項６】
前記角度調整装置は前記動力ギヤチャンバの右側に位置している切換ギヤチャンバを含み、前記主軸が前記切換ギヤチャンバの中に伸びており、前記主軸の右端には昇降ベベルギヤが固定的に設置され、前記昇降ベベルギヤの下端には両面ベベルギヤが噛み合っており、前記両面ベベルギヤの中心には昇降立軸が固定的に設置され、前記昇降立軸の上端が前記切換ギヤチャンバの上端壁の中に回転できるように連結され、前記両面ベベルギヤの下側には切換軸が設置され、前記切換軸の左端が切換軸スリーブパイプによって前記切換ギヤチャンバの左端壁の中に回転できるように連結され、前記切換軸には左ベベルギヤと、右ベベルギヤとが固定的に設置され、前記切換ギヤチャンバの右側には支持スライドチャンバが設置され、前記支持スライドチャンバの中には親ネジが設置され、前記親ネジの両端が前記支持スライドチャンバの左右壁の中に回転できるように連結され、前記親ネジが前記切換軸とスプラインによって連結され、前記支持スライドチャンバの中には支持スライドブロックがスライドできるように設置され、前記支持スライドブロックが前記親ネジとネジ山によって連結され、前記支持スライドブロックの下端が前記斜め溝の下端壁に当接しており、前記支持スライドチャンバの右側には切換スライドチャンバが設置され、前記切換スライドチャンバの右端が外部空間に連通しており、前記切換スライドチャンバの中には切換スライドブロックがスライドできるように設置され、前記切換スライドブロックの右端が外部空間に伸びており、前記切換軸の右端が前記切換スライドブロックの左端壁の中に回転できるように連結され、前記切換スライドブロックの上端面の中にはロックスライドチャンバが設置され、前記ロックスライドチャンバの中にはロックスライドブロックがスライドできるように設置され、前記ロックスライドブロックの右端壁の中には凹溝が設置され、前記ロックスライドブロックの下端にはロックばねが固定的に設置され、前記ロックスライドチャンバの右端には押しスライドチャンバが連通しており、前記押しスライドチャンバの右端が外部空間に連通しており、前記押しスライドチャンバの中には押しスライドブロックがスライドできるように設置され、前記押しスライドブロックの左端は斜面構造であり、前記ロックスライドブロックの右側の前記凹溝を結合でき、前記押しスライドブロックの右端が外部空間に伸びており、前記切換スライドチャンバの上端壁の中には三つの均一に排列しているロック凹溝が設置され、前記ロックスライドブロックの上端が前記ロック凹溝に伸びることができ、前記角度調整装置は前記支持スライドブロックが左右に移動することを制御でき、更に前記主体の傾斜角度を制御することを特徴とする請求項５に記載のゴミ分別用の磁性金属回収装置。
【請求項７】
前記ベルト連動装置は前記回転筒チャンバの上端壁の中に位置している連動動力チャンバを含み、前記連動動力チャンバの中には連動動力軸が設置され、前記連動動力軸の右端が前記連動動力チャンバの右端壁の中に回転できるように連結され、前記連動動力軸には連動動力ギヤが固定的に設置され、前記連動動力ギヤの下端が前記回転筒の左端と噛み合っており、前記連動動力軸の左側には連動ギヤチャンバが設置され、前記連動動力軸の左端が前記連動ギヤチャンバに伸びており、また前記連動動力軸の左端には連動第一ベベルギヤが固定的に設置され、前記連動第一ベベルギヤの後端には連動第二ベベルギヤが噛み合っており、前記連動第二ベベルギヤの中心には連動横軸が固定的に設置され、前記連動ギヤチャンバの後側似は連動ベルトチャンバが設置され、前記連動横軸が前記連動ベルトチャンバに伸びており、また前記連動横軸の後端が前記連動ベルトチャンバの後端壁の中に回転できるように連結され、前記連動横軸のうち前記連動ベルトチャンバの中に位置している部分には連動主輪が固定的に設置され、前記連動主輪の下側には連動副輪が設置され、前記連動副輪の中心が一番左端の前記ベルト回転軸の後端に固定的に設置され、前記連動主輪が前記連動副輪と連動ベルトによって動力が伝達できるように連結され、前記ベルト連動装置は前記回転筒と前記輸送ベルトとを動力が伝達できるように連結できることを特徴とする請求項２に記載のゴミ分別用の磁性金属回収装置。
【請求項８】
前記ロックスライドブロックの上端が中間の前記ロック凹溝の中に位置している時、前記両面ベベルギヤが前記左ベベルギヤと前記右ベベルギヤといずれも噛み合わなく、前記ロックスライドブロックの上端が左側の前記ロック凹溝の中に位置している時、前記右ベベルギヤが前記両面ベベルギヤと噛み合っており、前記親ネジが前記動力モーターの連動によって時計回り方向に回転し、前記支持スライドブロックが左方へ移動し、それによって前記主体の傾斜角度が大きくなり、前記ロックスライドブロックの上端が右側の前記ロック凹溝の中に位置している時、前記左ベベルギヤが前記両面ベベルギヤと噛み合っており、前記親ネジが前記動力モーターの連動によって反転し、前記支持スライドブロックが右方へ移動し、それによって前記主体の傾斜角度が小さくなることを特徴とする請求項６に記載のゴミ分別用の磁性金属回収装置。
【手続補正２】
【補正対象書類名】明細書
【補正対象項目名】全文
【補正方法】変更
【補正の内容】
【発明の詳細な説明】
【技術分野】
【０００１】
本発明はゴミ分別分野に関わり、具体的にはゴミ分別用の磁性金属回収装置である。
【背景技術】
【０００２】
伝統的なゴミの金属回収は人で磁石を選択する又は磁石をゴミ輸送通路の上方に置くことに依存し、磁性金属を吸引し、効率が低く、またゴミが堆積しやすく、落としやすく、又はゴミを分別する時にほかの雑物が入れることがあり、その後に再び選択する必要があり、時間と人力とを費やし、また伝統的な分離装置の高さを調節できなく、それによって装置全体の適用範囲が小さい。
【先行技術文献】
【特許文献】
【０００３】
【特許文献１】中国特許出願公開第１０８１２６８３０号明細書
【発明の概要】
【発明が解決しようとする課題】
【０００４】
本発明はゴミ分別用の磁性金属回収装置を提供し、既存技術にある上記の欠点を解消することを目的とする。
【課題を解決するための手段】
【０００５】
本発明の実施例のゴミ分別用の磁性金属回収装置は、主体を含み、前記主体の上端壁の中には回転筒チャンバが設置され、前記回転筒チャンバの壁の中には強磁石が固定的に設置され、前記回転筒チャンバの中には回転筒が回転できるように設置され、前記回転筒の中には輸送装置が設置され、前記輸送装置は分離された金属を運び出すことができ、前記回転筒の上側にはベルト連動装置が設置され、前記輸送装置が前記ベルト連動装置によって前記回転筒と動力が伝達できるように連結され、前記回転筒チャンバの右側にはゴミ入口が連通しており、前記ゴミ入口の右側が外部空間と連通してゴミ破片を入らせることができ、前記回転筒チャンバの左側には残渣出口が連通しており、前記残渣出口の左側が外部空間と連通して選択された非磁性金属ゴミを離れさせることができ、前記残渣出口の上側には金属出口が設置され、前記金属出口の左側が外部空間と連通しており、前記輸送装置の左端が前記金属出口の中に伸びており、前記金属出口は選択された金属ゴミを離れさせることができ、前記回転筒チャンバの下側には動力装置が設置され、前記動力装置が前記回転筒と動力が伝達できるように連結され、前記動力装置の右側には角度調整装置が設置され、前記角度調整装置が前記動力装置と動力が伝達できるように連結され、前記主体の下側には台座が設置され、前記台座の左端壁の中には回転装置が設置され、前記回転装置の右側には斜め溝が形成されており、前記角度調整装置の下端が前記斜め溝の中に伸びており、それによって前記角度調整装置が作動する時に前記主体が傾斜角度を変えられ、装置全体が金属回収作業をする時に前記主体が傾斜状態にあるべきであり、前記動力装置が前記回転筒を回転連動させ、ゴミ屑が前記ゴミ入口から前記回転筒の中に入り、前記回転筒と共に反時計回り方向に回転し、磁性がないゴミ屑は前記回転筒の回転と共に、左方へ移動し、最後に前記残渣出口から離れ、磁性のあるゴミ屑は前記回転筒が回転する過程において、前記強磁石の磁力作用によって前記回転筒と共に前記回転筒の内部の上方に回転し、前記強磁石の吸引範囲から離れた後、吸引力を失い、重力の作用の下で下方へ前記輸送装置に落ち、前記輸送装置の連動によって左方へ運動し、前記金属出口から離れ、ゴミの中の磁性金属を分離する目的を達成し、前記角度調整装置がいつでも前記主体の傾斜角度を調整できる。
【０００６】
さらなる技術プランには、前記輸送装置は前記回転筒の内部に位置しているベルト架台を含み、前記ベルト架台の左右両端が前記主体に固定的に設置され、前記ベルト架台がＵ型であり、前記ベルト架台の前側上端が前記回転筒の内壁とスライドできるように当接しており、前記ベルト架台には水平方向に均一に配置された十一個のベルト回転軸が設置され、各前記ベルト回転軸にはいずれもベルトプーリが固定的に設置され、十一個の前記ベルトプーリが輸送ベルトによって動力が伝達できるように連結され、前記輸送装置は選択された金属を前記輸送ベルトによって前記金属出口を通して外部空間に輸送することができる。
【０００７】
さらなる技術プランには、前記回転筒の内壁にはネジ凹溝が形成されており、ゴミ屑が直接に下方へ滑り落ちることを防止でき、前記強磁石の上端が前記輸送ベルトの中心位置と対応し、前記輸送ベルトの上方で金属ゴミを前記回転筒の内壁から分離させることができ、それによって金属が前記輸送ベルトの上端面に落ち、前記ベルト架台はゴミ屑が慣性の作用の下で前記輸送ベルトの所在位置を飛び越えることを防止でき、前記回転筒の右端外側は歯状構造であり、前記動力装置及び前記ベルト連動装置と動力が伝達できるように連結されることができる。
【０００８】
さらなる技術プランには、前記回転装置は前記台座の左端壁の中に位置している主体回転溝を含み、前記主体回転溝の左側及び上側がいずれも外部空間に連通しており、前記主体回転溝の中には主体回転軸が設置され、前記主体回転軸の前後両端が前記主体回転溝の前後壁の中に回転できるように連結され、前記主体の下端が前記主体回転軸に固定的に設置され、前記主体は前記ベルト連動装置の作用の下で前記主体回転軸を軸にして傾斜角度を変えることができる。
【０００９】
さらなる技術プランには、前記動力装置は前記回転筒チャンバの下側に位置している動力ギヤチャンバを含み、前記動力ギヤチャンバの右端壁の中には動力モーターが固定的に設置され、前記動力モーターの左端にはモーター軸が回転できるように設置され、前記モーター軸の左端には動力ギヤが固定的に設置され、前記動力ギヤの上端には主軸ギヤが噛み合っており、前記主軸ギヤの中心には主軸が固定的に設置され、前記主軸の左端が外部空間に伸びており、また前記主軸の左端には回転筒ギヤが固定的に設置され、前記回転筒ギヤの上端が前記回転筒の下端と噛み合っており、前記主軸の右端が前記角度調整装置と動力が伝達できるように連結され、前記動力装置は装置全体に動力を提供できる。
【００１０】
さらなる技術プランには、前記角度調整装置は前記動力ギヤチャンバの右側に位置している切換ギヤチャンバを含み、前記主軸が前記切換ギヤチャンバの中に伸びており、前記主軸の右端には昇降ベベルギヤが固定的に設置され、前記昇降ベベルギヤの下端には両面ベベルギヤが噛み合っており、前記両面ベベルギヤの中心には昇降立軸が固定的に設置され、前記昇降立軸の上端が前記切換ギヤチャンバの上端壁の中に回転できるように連結され、前記両面ベベルギヤの下側には切換軸が設置され、前記切換軸の左端が切換軸スリーブパイプによって前記切換ギヤチャンバの左端壁の中に回転できるように連結され、前記切換軸には左ベベルギヤと、右ベベルギヤとが固定的に設置され、前記切換ギヤチャンバの右側には支持スライドチャンバが設置され、前記支持スライドチャンバの中には親ネジが設置され、前記親ネジの両端が前記支持スライドチャンバの左右壁の中に回転できるように連結され、前記親ネジが前記切換軸とスプラインによって連結され、前記支持スライドチャンバの中には支持スライドブロックがスライドできるように設置され、前記支持スライドブロックが前記親ネジとネジ山によって連結され、前記支持スライドブロックの下端が前記斜め溝の下端壁に当接しており、前記支持スライドチャンバの右側には切換スライドチャンバが設置され、前記切換スライドチャンバの右端が外部空間に連通しており、前記切換スライドチャンバの中には切換スライドブロックがスライドできるように設置され、前記切換スライドブロックの右端が外部空間に伸びており、前記切換軸の右端が前記切換スライドブロックの左端壁の中に回転できるように連結され、前記切換スライドブロックの上端面の中にはロックスライドチャンバが設置され、前記ロックスライドチャンバの中にはロックスライドブロックがスライドできるように設置され、前記ロックスライドブロックの右端壁の中には凹溝が設置され、前記ロックスライドブロックの下端にはロックばねが固定的に設置され、前記ロックスライドチャンバの右端には押しスライドチャンバが連通しており、前記押しスライドチャンバの右端が外部空間に連通しており、前記押しスライドチャンバの中には押しスライドブロックがスライドできるように設置され、前記押しスライドブロックの左端は斜面構造であり、前記ロックスライドブロックの右側の前記凹溝を結合でき、前記押しスライドブロックの右端が外部空間に伸びており、前記切換スライドチャンバの上端壁の中には三つの均一に排列しているロック凹溝が設置され、前記ロックスライドブロックの上端が前記ロック凹溝に伸びることができ、前記角度調整装置は前記支持スライドブロックが左右に移動することを制御でき、更に前記主体の傾斜角度を制御する。
【００１１】
さらなる技術プランには、前記ベルト連動装置は前記回転筒チャンバの上端壁の中に位置している連動動力チャンバを含み、前記連動動力チャンバの中には連動動力軸が設置され、前記連動動力軸の右端が前記連動動力チャンバの右端壁の中に回転できるように連結され、前記連動動力軸には連動動力ギヤが固定的に設置され、前記連動動力ギヤの下端が前記回転筒の左端と噛み合っており、前記連動動力軸の左側には連動ギヤチャンバが設置され、前記連動動力軸の左端が前記連動ギヤチャンバに伸びており、また前記連動動力軸の左端には連動第一ベベルギヤが固定的に設置され、前記連動第一ベベルギヤの後端には連動第二ベベルギヤが噛み合っており、前記連動第二ベベルギヤの中心には連動横軸が固定的に設置され、前記連動ギヤチャンバの後側似は連動ベルトチャンバが設置され、前記連動横軸が前記連動ベルトチャンバに伸びており、また前記連動横軸の後端が前記連動ベルトチャンバの後端壁の中に回転できるように連結され、前記連動横軸のうち前記連動ベルトチャンバの中に位置している部分には連動主輪が固定的に設置され、前記連動主輪の下側には連動副輪が設置され、前記連動副輪の中心が一番左端の前記ベルト回転軸の後端に固定的に設置され、前記連動主輪が前記連動副輪と連動ベルトによって動力が伝達できるように連結され、前記ベルト連動装置は前記回転筒と前記輸送ベルトとを動力が伝達できるように連結できる。
【００１２】
さらなる技術プランには、前記ロックスライドブロックの上端が中間の前記ロック凹溝の中に位置している時、前記両面ベベルギヤが前記左ベベルギヤと前記右ベベルギヤといずれも噛み合わなく、前記ロックスライドブロックの上端が左側の前記ロック凹溝の中に位置している時、前記右ベベルギヤが前記両面ベベルギヤと噛み合っており、前記親ネジが前記動力モーターの連動によって時計回り方向に回転し、前記支持スライドブロックが左方へ移動し、それによって前記主体の傾斜角度が大きくなり、前記ロックスライドブロックの上端が右側の前記ロック凹溝の中に位置している時、前記左ベベルギヤが前記両面ベベルギヤと噛み合っており、前記親ネジが前記動力モーターの連動によって反転し、前記支持スライドブロックが右方へ移動し、それによって前記主体の傾斜角度が小さくなる。
【発明の効果】
【００１３】
本発明の有益な効果は：本発明は磁石吸着の原理を利用してゴミ破片の中の磁性金属を回収し、手動操作を減少し、金属回収の効率を高め、そのほか、回転筒の構造を用いてゴミの堆積のためにゴミを落とすことを防止し、また回収物に非金属雑物が交じることを避け、金属の回収品質を保証し、同時に角度調節可能な設計を用い、異なる作動環境に対応することに便利を与え、装置の互換性を高める。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のゴミ分別用の磁性金属回収装置の全体構造略図
【図２】図２は図１の「Ａ―Ａ」方向の構造略図
【図３】図３は図１の「Ｂ―Ｂ」方向の構造略図
【図４】図４は図１の中の「Ｃ」の拡大構造略図
【図５】図５は図１の中の「Ｄ」の拡大構造略図
【図６】図６は図１の中の「Ｅ」の拡大構造略図
【発明を実施するための形態】
【００１６】
図１〜６を参照し、本発明の実施例のゴミ分別用の磁性金属回収装置は、主体１１を含み、前記主体１１の上端壁の中には回転筒チャンバ２１が設置され、前記回転筒チャンバ２１の壁の中には強磁石２３が固定的に設置され、前記回転筒チャンバ２１の中には回転筒２２が回転できるように設置され、前記回転筒２２の中には輸送装置４００が設置され、前記輸送装置４００は分離された金属を運び出すことができ、前記回転筒２２の上側にはベルト連動装置３００が設置され、前記輸送装置４００が前記ベルト連動装置３００によって前記回転筒２２と動力が伝達できるように連結され、前記回転筒チャンバ２１の右側にはゴミ入口７２が連通しており、前記ゴミ入口７２の右側が外部空間と連通してゴミ破片を入らせることができ、前記回転筒チャンバ２１の左側には残渣出口７４が連通しており、前記残渣出口７４の左側が外部空間と連通して選択された非磁性金属ゴミを離れさせることができ、前記残渣出口７４の上側には金属出口７３が設置され、前記金属出口７３の左側が外部空間と連通しており、前記輸送装置４００の左端が前記金属出口７３の中に伸びており、前記金属出口７３は選択された金属ゴミを離れさせることができ、前記回転筒チャンバ２１の下側には動力装置１００が設置され、前記動力装置１００が前記回転筒２２と動力が伝達できるように連結され、前記動力装置１００の右側には角度調整装置２００が設置され、前記角度調整装置２００が前記動力装置１００と動力が伝達できるように連結され、前記主体１１の下側には台座１２が設置され、前記台座１２の左端壁の中には回転装置５００が設置され、前記回転装置５００の右側には斜め溝６５が形成されており、前記角度調整装置２００の下端が前記斜め溝６５の中に伸びており、それによって前記角度調整装置２００が作動する時に前記主体１１が傾斜角度を変えられ、装置全体が金属回収作業をする時に前記主体１１が傾斜状態にあるべきであり、前記動力装置１００が前記回転筒２２を回転連動させ、ゴミ屑が前記ゴミ入口７２から前記回転筒２２の中に入り、前記回転筒２２と共に反時計回り方向に回転し、磁性がないゴミ屑は前記回転筒２２の回転と共に、左方へ移動し、最後に前記残渣出口７４から離れ、磁性のあるゴミ屑は前記回転筒２２が回転する過程において、前記強磁石２３の磁力作用によって前記回転筒２２と共に前記回転筒２２の内部の上方に回転し、前記強磁石２３の吸引範囲から離れた後、吸引力を失い、重力の作用の下で下方へ前記輸送装置４００に落ち、前記輸送装置４００の連動によって左方へ運動し、前記金属出口７３から離れ、ゴミの中の磁性金属を分離する目的を達成し、前記角度調整装置２００がいつでも前記主体１１の傾斜角度を調整できる。
【００１７】
有益なように、前記輸送装置４００は前記回転筒２２の内部に位置しているベルト架台１４を含み、前記ベルト架台１４の左右両端が前記主体１１に固定的に設置され、前記ベルト架台１４がＵ型であり、前記ベルト架台１４の前側上端が前記回転筒２２の内壁とスライドできるように当接しており、前記ベルト架台１４には水平方向に均一に配置された十一個のベルト回転軸５８が設置され、各前記ベルト回転軸５８にはいずれもベルトプーリ４４が固定的に設置され、十一個の前記ベルトプーリ４４が輸送ベルト２４によって動力が伝達できるように連結され、前記輸送装置４００は選択された金属を前記輸送ベルト２４によって前記金属出口７３を通して外部空間に輸送することができる。
【００１８】
有益なように、前記回転装置５００は前記台座１２の左端壁の中に位置している主体回転溝７６を含み、前記主体回転溝７６の左側及び上側がいずれも外部空間に連通しており、前記主体回転溝７６の中には主体回転軸５９が設置され、前記主体回転軸５９の前後両端が前記主体回転溝７６の前後壁の中に回転できるように連結され、前記主体１１の下端が前記主体回転軸５９に固定的に設置され、前記主体１１は前記ベルト連動装置３００の作用の下で前記主体回転軸５９を軸にして傾斜角度を変えることができる。
【００１９】
有益なように、前記回転筒２２の内壁にはネジ凹溝が形成されており、ゴミ屑が直接に下方へ滑り落ちることを防止でき、前記強磁石２３の上端が前記輸送ベルト２４の中心位置と対応し、前記輸送ベルト２４の上方で金属ゴミを前記回転筒２２の内壁から分離させることができ、それによって金属が前記輸送ベルト２４の上端面に落ち、前記ベルト架台１４はゴミ屑が慣性の作用の下で前記輸送ベルト２４の所在位置を飛び越えることを防止でき、前記回転筒２２の右端外側は歯状構造であり、前記動力装置１００及び前記ベルト連動装置３００と動力が伝達できるように連結されることができる。
【００２０】
有益なように、前記動力装置１００は前記回転筒チャンバ２１の下側に位置している動力ギヤチャンバ６１を含み、前記動力ギヤチャンバ６１の右端壁の中には動力モーター２５が固定的に設置され、前記動力モーター２５の左端にはモーター軸５１が回転できるように設置され、前記モーター軸５１の左端には動力ギヤ３１が固定的に設置され、前記動力ギヤ３１の上端には主軸ギヤ３２が噛み合っており、前記主軸ギヤ３２の中心には主軸５２が固定的に設置され、前記主軸５２の左端が外部空間に伸びており、また前記主軸５２の左端には回転筒ギヤ３３が固定的に設置され、前記回転筒ギヤ３３の上端が前記回転筒２２の下端と噛み合っており、前記主軸５２の右端が前記角度調整装置２００と動力が伝達できるように連結され、前記動力装置１００は装置全体に動力を提供できる。
【００２１】
有益なように、前記角度調整装置２００は前記動力ギヤチャンバ６１の右側に位置している切換ギヤチャンバ６２を含み、前記主軸５２が前記切換ギヤチャンバ６２の中に伸びており、前記主軸５２の右端には昇降ベベルギヤ３４が固定的に設置され、前記昇降ベベルギヤ３４の下端には両面ベベルギヤ３５が噛み合っており、前記両面ベベルギヤ３５の中心には昇降立軸５３が固定的に設置され、前記昇降立軸５３の上端が前記切換ギヤチャンバ６２の上端壁の中に回転できるように連結され、前記両面ベベルギヤ３５の下側には切換軸５４が設置され、前記切換軸５４の左端が切換軸スリーブパイプ７７によって前記切換ギヤチャンバ６２の左端壁の中に回転できるように連結され、前記切換軸５４には左ベベルギヤ３６と、右ベベルギヤ３７とが固定的に設置され、前記切換ギヤチャンバ６２の右側には支持スライドチャンバ６３が設置され、前記支持スライドチャンバ６３の中には親ネジ５５が設置され、前記親ネジ５５の両端が前記支持スライドチャンバ６３の左右壁の中に回転できるように連結され、前記親ネジ５５が前記切換軸５４とスプラインによって連結され、前記支持スライドチャンバ６３の中には支持スライドブロック８１がスライドできるように設置され、前記支持スライドブロック８１が前記親ネジ５５とネジ山によって連結され、前記支持スライドブロック８１の下端が前記斜め溝６５の下端壁に当接しており、前記支持スライドチャンバ６３の右側には切換スライドチャンバ６４が設置され、前記切換スライドチャンバ６４の右端が外部空間に連通しており、前記切換スライドチャンバ６４の中には切換スライドブロック８４がスライドできるように設置され、前記切換スライドブロック８４の右端が外部空間に伸びており、前記切換軸５４の右端が前記切換スライドブロック８４の左端壁の中に回転できるように連結され、前記切換スライドブロック８４の上端面の中にはロックスライドチャンバ６６が設置され、前記ロックスライドチャンバ６６の中にはロックスライドブロック８２がスライドできるように設置され、前記ロックスライドブロック８２の右端壁の中には凹溝７８が設置され、前記ロックスライドブロック８２の下端にはロックばね１３が固定的に設置され、前記ロックスライドチャンバ６６の右端には押しスライドチャンバ６７が連通しており、前記押しスライドチャンバ６７の右端が外部空間に連通しており、前記押しスライドチャンバ６７の中には押しスライドブロック８３がスライドできるように設置され、前記押しスライドブロック８３の左端は斜面構造であり、前記ロックスライドブロック８２の右側の前記凹溝７８を結合でき、前記押しスライドブロック８３の右端が外部空間に伸びており、前記切換スライドチャンバ６４の上端壁の中には三つの均一に排列しているロック凹溝７５が設置され、前記ロックスライドブロック８２の上端が前記ロック凹溝７５に伸びることができ、前記角度調整装置２００は前記支持スライドブロック８１が左右に移動することを制御でき、更に前記主体１１の傾斜角度を制御する。
【００２２】
有益なように、前記ベルト連動装置３００は前記回転筒チャンバ２１の上端壁の中に位置している連動動力チャンバ６８を含み、前記連動動力チャンバ６８の中には連動動力軸５６が設置され、前記連動動力軸５６の右端が前記連動動力チャンバ６８の右端壁の中に回転できるように連結され、前記連動動力軸５６には連動動力ギヤ３８が固定的に設置され、前記連動動力ギヤ３８の下端が前記回転筒２２の左端と噛み合っており、前記連動動力軸５６の左側には連動ギヤチャンバ６９が設置され、前記連動動力軸５６の左端が前記連動ギヤチャンバ６９に伸びており、また前記連動動力軸５６の左端には連動第一ベベルギヤ３９が固定的に設置され、前記連動第一ベベルギヤ３９の後端には連動第二ベベルギヤが噛み合っており、前記連動第二ベベルギヤ４１の中心には連動横軸５７が固定的に設置され、前記連動ギヤチャンバ６９の後側似は連動ベルトチャンバ７１が設置され、前記連動横軸５７が前記連動ベルトチャンバ７１に伸びており、また前記連動横軸５７の後端が前記連動ベルトチャンバ７１の後端壁の中に回転できるように連結され、前記連動横軸５７のうち前記連動ベルトチャンバ７１の中に位置している部分には連動主輪４２が固定的に設置され、前記連動主輪４２の下側には連動副輪４３が設置され、前記連動副輪４３の中心が一番左端の前記ベルト回転軸５８の後端に固定的に設置され、前記連動主輪４２が前記連動副輪４３と連動ベルト２６によって動力が伝達できるように連結され、前記ベルト連動装置３００は前記回転筒２２と前記輸送ベルト２４とを動力が伝達できるように連結できる。
【００２３】
有益なように、前記ロックスライドブロック８２の上端が中間の前記ロック凹溝７５の中に位置している時、前記両面ベベルギヤ３５が前記左ベベルギヤ３６と前記右ベベルギヤ３７といずれも噛み合わなく、前記ロックスライドブロック８２の上端が左側の前記ロック凹溝７５の中に位置している時、前記右ベベルギヤ３７が前記両面ベベルギヤ３５と噛み合っており、前記親ネジ５５が前記動力モーター２５の連動によって時計回り方向に回転し、前記支持スライドブロック８１が左方へ移動し、それによって前記主体１１の傾斜角度が大きくなり、前記ロックスライドブロック８２の上端が右側の前記ロック凹溝７５の中に位置している時、前記左ベベルギヤ３６が前記両面ベベルギヤ３５と噛み合っており、前記親ネジ５５が前記動力モーター２５の連動によって反転し、前記支持スライドブロック８１が右方へ移動し、それによって前記主体１１の傾斜角度が小さくなる。
【００２４】
初期状態の時、ロックスライドブロック８２の上端が中間のロック凹溝７５の中に位置しており、支持スライドブロック８１の右端が支持スライドチャンバ６３の右端壁に当接しており、主体１１の傾斜角度は零である。
【００２５】
始動する時、動力モーター２５が作動し始め、両面ベベルギヤ３５と回転筒２２とを回転連動させ、押しスライドブロック８３を左方へ押し、ロックスライドブロック８２の上端を連動させて中間のロック凹溝７５から離れさせ、切換スライドブロック８４を左方へ推し動かし、それによってロックスライドブロック８２の上端が左側のロック凹溝７５の中に入り、この時、右ベベルギヤ３７が両面ベベルギヤ３５と噛み合っており、支持スライドブロック８１が左方へ移動し、それによって主体１１の右端が上方へ主体回転軸５９を軸にして傾斜し、指定位置に到達した後に再び推しスライドブロック８３を左方へ押した後に切換スライドブロック８４を右方へ引き動かし、それによってロックスライドブロック８２の上端が中間のロック凹溝７５の中に戻り、右ベベルギヤ３７が両面ベベルギヤ３５と分離し、支持スライドブロック８１の動作が停止し、主体１１の傾斜角度が変わることはしなく、この時にゴミ入口７２によって回転筒２２の中にゴミ破片を入れることができ、強磁石２３の作用の下で、磁性金属破片が回転筒２２の内壁に吸着でき、回転筒２２の回転と共に、回転筒２２の上側の対応した位置に到達した時、強磁石２３の磁性範囲から離れ、破片が重力の作用の下で下方へ輸送ベルト２４の上端面に落ち、輸送ベルト２４が回転筒２２の連動によって金属破片を金属出口７３から外へ輸送し、磁性がない金属は回転筒２２の中で回転筒２２の回転と共に左側へ移動し、最後に残渣出口７４から回転筒２２を離れ、ゴミ金属の分離を完成する。
【００２６】
使用し終わった時、押しスライドブロック８３を左方へ押して切換スライドブロック８４を右方へ引き動かし、それによってロックスライドブロック８２の上端が右側のロック凹溝７５の中に入り、左ベベルギヤ３６が両面ベベルギヤ３５と噛み合っており、支持スライドブロック８１が右方へ移動し、支持スライドブロック８１の右端が支持スライドチャンバ６３の右端壁と当接する時に押しスライドブロック８３を左方へ押して切換スライドブロック８４を左方へ押し動かし、それによってロックスライドブロック８２の上端が中間のロック凹溝７５の中に戻り、左ベベルギヤ３６が両面ベベルギヤ３５と分離し、支持スライドブロック８１の移動が停止し、主体１１は傾斜角度が零である位置に戻り、動力モーター２５の動作が停止し、装置全体が初期状態に戻る。
【００２７】
本発明の有益な効果は：本発明は磁石吸着の原理を利用してゴミ破片の中の磁性金属を回収し、手動操作を減少し、金属回収の効率を高め、そのほか、回転筒の構造を用いてゴミの堆積のためにゴミを落とすことを防止し、また回収物に非金属雑物が交じることを避け、金属の回収品質を保証し、同時に角度調節可能な設計を用い、異なる作動環境に対応することに便利を与え、装置の互換性を高める。
【００２８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。